(57)【要約】【課題】従来のイオン交換カラム又は逆相系カラムによる塩基性又は酸性の測定対象試料のクロマトグラムを改良し、かつ分析時間を短縮することを目的とする。【解決手段】本発明による塩基性又は酸性試料を分析するための高速液体クロマトグラフィー用カラムは、逆相系充填剤（Ａ）と、イオン交換充填剤（Ｂ）（カチオン系充填剤又はアニオン系充填剤）とが１本のカラムに混合・充填されてなり、かつイオン交換充填剤（Ｂ）の量に対して１倍量よりも多い逆相系充填剤（Ａ）を含む。【選択図】図３
2007205871.tif 000002
【特許請求の範囲】
【請求項１】
逆相系充填剤（Ａ）と、カチオン系のイオン交換充填剤（Ｂ）とが１本のカラムに混合・充填されてなり、かつ該イオン交換充填剤（Ｂ）の量に対して１倍量よりも多い該逆相系充填剤（Ａ）を含むことを特徴とする、塩基性試料を分離するための高速液体クロマトグラフィー用カラム。
【請求項２】
逆相系充填剤（Ａ）と、アニオン系のイオン交換充填剤（Ｂ）とが１本のカラムに混合・充填されてなり、かつ該イオン交換充填剤（Ｂ）の量に対して１倍量よりも多い該逆相系充填剤（Ａ）を含むことを特徴とする、酸性試料を分離するための高速液体クロマトグラフィー用カラム。
【発明の詳細な説明】
【技術分野】
【０００１】
本発明は２種の充填剤を混合したカラムに関し、より詳細には、逆相系充填剤とイオン交換充填剤（カチオン系充填剤又はアニオン系充填剤）とを１本のカラムに混合・充填してなる塩基性又は酸性試料を分離するための高速液体クロマトグラフィー用カラムに関する。
【背景技術】
【０００２】
従来から液体クロマトグラフィー分析、特に高速液体クロマトグラフィー（ＨＰＬＣとも呼ぶ）分析は、最も汎用されている分析手法の一つである。液体クロマトグラフィー分析において、溶離液の種類、測定温度、ｐＨ及び/又はカラムサイズ等の分析条件の変更、かつ／又は充填剤の改良等によって、測定する試料の分離を改善することができることが知られている。
【０００３】
充填剤の改良手段の１つとして、２種類の充填剤を組み合わせる方法が提案されている。例えば、測定対象試料の分離に主に作用する第１充填剤（例えば、イオン交換充填剤、逆相系充填剤、順相系充填剤など）と、測定対象試料との相互作用が上記第１充填剤とは異なり、かつ上記第１充填剤の測定対象試料に対するクロマトグラムを改良し得る第２充填剤（例えば、第１充填剤がイオン交換充填剤である場合、第２充填剤として、逆相系充填剤や、第１充填剤とはイオン性が異なる官能基を有するイオン交換充填剤（例えば、第１充填剤がＣＯＯＨ基を有する場合、ＳＯ３Ｈ基を有する充填剤）など；第１充填剤が逆相系充填剤である場合、第２充填剤としてイオン交換充填剤など；第１充填剤が順相系充填剤である場合、第２充填剤としてイオン交換充填剤など）とが組み合わされて、１本のカラムに充填された液体クロマトグラフィー用カラム及びこのカラムを用いた分析方法がある。（例えば、特許文献１参照。）
また、糖化ヘモグロビンを含有する測定対象試料の測定において、糖化ヘモグロビンの分離に主に作用するＣＯＯＨ基を有するカチオン交換系充填剤（第１充填剤）と、糖化ヘモグロビンとの相互作用が上記カチオン交換系充填剤とは異なり、かつ上記カチオン交換系充填剤の糖化ヘモグロビンに対するクロマトグラムを改良し得る第２充填剤として、ＳＯ３Ｈ基を有するカチオン交換系充填剤、Ｎ（Ｃ２Ｈ５）２基を有するアニオン交換系充填剤、フェニル基を有する逆相系充填剤、又はヒドロキシアパタイトを組み合わせて１本のカラムに充填された液体クロマトグラフィー用カラムを使用する糖化ヘモグロビンの測定方法がある。（例えば、特許文献２参照。）
さらに、糖類を含有する試料を分析する方法として、糖類の分離に主に作用する順相分配液体クロマトグラフィー用充填剤（第１充填剤）（例えば、ＮＨ２基を有するシリカ系充填剤）と、上記順相系充填剤とは異なり、かつ上記順相系充填剤の上記糖類に対するクロマトグラムを改良し得る第２充填剤（例えば、ＮＨ２基を有するアクリル系ポリマーからなる順相分配液体クロマトグラフィー用充填剤、ＣＯＯＨ基を有するアクリル系ポリマーからなるカチオン交換系充填剤、フェニル基を有するスチレン系ポリマーからなる逆相分配用充填剤など）とを１本のカラムに充填して液体クロマトグラフィー用カラムを作製し、液体クロマトグラフィー分析を行なう糖類の分析方法がある。（例えば、特許文献３参照。）
さらにまた、生体試料を分析する方法として、生体試料の分離に主に作用する逆相分配液体クロマトグラフィー用充填剤（第１充填剤）（例えば、フェニル基を有するスチレン系ポリマー）と、上記逆相系充填剤とは異なり、かつ上記逆相系充填剤の上記生体試料に対するクロマトグラムを改良し得る第２充填剤（例えば、オクタデシル基を有するシリカからなる逆相分配液体クロマトグラフィー用充填剤、ＣＯＯＨ基を有するアクリル系ポリマーからなるカチオン交換系充填剤など）とを１本のカラムに充填して液体クロマトグラフィー用カラムを作製し、液体クロマトグラフィー分析を行なう生体試料の分析方法がある。（例えば、特許文献４参照。）
上記特許文献１乃至４に記載の液体クロマトグラフィー分析用カラムはいずれも、測定対象試料の分離に主に作用する第１充填剤の量に対して、１倍量以下の第２充填剤が用いられる。
【特許文献１】特開平９−１２７０８０号公報
【特許文献２】特開平９−１２７０９１号公報
【特許文献３】特開平９−１２７０９０号公報
【特許文献４】特開平９−１２７０８８号公報
【発明の開示】
【発明が解決しようとする課題】
【０００４】
一般的に、塩基性又は酸性試料を、例えば、汎用の逆相カラムを用いて分析する場合、溶離液の種類や液性（ｐＨ）に支配され、測定対象試料ごと又は目的に応じて、クロマトグラム（保持時間、ピーク形状）を最適化するには困難、かつ煩雑な場合が多い。それらを解決するために、一般的にはグラジェント分析が多用されている。とくに、ＬＣ／ＭＳ（／ＭＳ）（液体クロマトグラフィー／質量分析計）分析においては、ハイスループットスクリーニング（ＨＴＳ）の観点からショートカラムによる高速グラジェント法が主流であるが、分析終了後、次の分析の準備をするため溶離液の組成を初期値に戻す必要があり、分析時間の短縮にロスが生じ煩雑である。一方、イオン交換カラムを用いてアイソクラティック分析する場合、溶離液の組成を初期値に戻す必要はないが、測定対象試料の性質によっては保持力が強すぎるなどの問題がある。いずれにしても、逆相カラム又はイオン交換カラムを用いた単一カラムでの分析法では、その設定方法やクロマトグラムを最適化するための問題を抱えていることが現状である。
【０００５】
したがって、本発明は上記の点に鑑みてなされたものであり、従来のイオン交換カラム又は逆相系カラムによる塩基性又は酸性試料のクロマトグラムを改良し、かつ分析時間を短縮することを目的とする。
【課題を解決するための手段】
【０００６】
本発明者らは、強酸性イオン交換カラムと逆相カラムを直列に接続して、数種類の塩基性化合物をアイソクラティック分析した結果、良好な分離、分析時間の短縮の可能性が得られることを見出した。この結果を受けて、上記２種類の充填剤を１本のカラムに混合・充填して作製したカラムを用いて分析した結果、上記２種類のカラムを直列接続した場合と同様に、良好な分析を効果的に行なうこと、つまりクロマトグラムを改良することができ、さらに従来法と比較して分析時間の短縮（スループット）につながるものとして研究を続けた結果、本発明を開発するに到った。
【０００７】
すなわち、請求項１記載の発明は、
逆相系充填剤（Ａ）と、カチオン系のイオン交換充填剤（Ｂ）とが１本のカラムに混合・充填されてなり、かつ該イオン交換充填剤（Ｂ）の量に対して１倍量よりも多い該逆相系充填剤（Ａ）を含むことを特徴とする、塩基性試料を分離するための高速液体クロマトグラフィー用カラムによって達成される。
【０００８】
上記発明によれば、逆相系充填剤とイオン交換充填剤であるカチオン系充填剤とを、逆相系充填剤の量がイオン交換充填剤の量よりも多くなるように混合・充填して作製した１本のカラムを用いて塩基性測定対象試料を高速液体クロマトグラフィー分析することによって、クロマトグラムが良好に改良され、分析を効果的に行なうことができ、さらに、従来のカチオン系充填カラムを単独で用いる場合と比較して、分析時間の大幅な短縮が可能である。
【０００９】
また、請求項２記載の発明は、
逆相系充填剤（Ａ）と、アニオン系のイオン交換充填剤（Ｂ）とが１本のカラムに混合・充填されてなり、かつ該イオン交換充填剤（Ｂ）の量に対して１倍量よりも多い該逆相系充填剤（Ａ）を含むことを特徴とする、酸性試料を分離するための高速液体クロマトグラフィー用カラムによって達成される。
【００１０】
上記発明によれば、逆相系充填剤とイオン交換充填剤であるアニオン系充填剤とを、逆相系充填剤の量がイオン交換充填剤の量よりも多くなるように混合・充填して作製した１本のカラムを用いて高速液体クロマトグラフィー分析することによって、酸性の測定対象試料を同様に分析することができ、クロマトグラムが良好に改良され、分析を効果的に行なうことができ、さらに、従来のアニオン系充填カラムを単独で用いる場合と比較して、分析時間を大幅に短縮することができる。
【発明の効果】
【００１１】
本発明によると、逆相系充填剤とイオン交換充填剤であるカチオン系充填剤とを、イオン交換充填剤の量に対して１倍量よりも多い逆相系充填剤を含むように混合して作製した１本のカラムを用いて塩基性の測定対象試料をアイソクラティック分析することによって、あたかもグラジェント条件下で溶出したかのような効果により、クロマトグラムが良好に改良され、分析を効果的に行なうことができ、さらに従来のカチオン系充填剤を主とするカラムを用いる分析法と比較して分析時間の大幅な短縮が可能である。また、イオン交換充填剤をアニオン系充填剤とすることにより、酸性の測定対象試料を同様にアイソクラティック分析することができ、あたかもグラジェント条件下で溶出したかのような効果により、クロマトグラムが良好に改良され、分析を効果的に行なうことができ、さらに従来のアニオン系充填剤を主とするカラムを用いる分析法と比較して分析時間の大幅な短縮が可能である。
【発明を実施するための最良の形態】
【００１２】
以下、本発明にしたがって実施される具体例を更に詳細に説明するが、本発明はこれらの具体例に限定されるものではない。なお、本発明の趣旨及び範囲を逸脱しない限り、その細部については様々な態様が可能である。
【００１３】
本発明による高速液体クロマトグラフィー用カラム（以下、単にカラムという）は、測定対象試料（塩基性又は酸性試料）の分離に主に作用するイオン交換充填剤（Ｂ）と、分析（検出）時間の短縮に主に作用する逆相系充填剤（Ａ）とが１本のカラムに充填されて、かつイオン交換充填剤（Ｂ）の量に対して１倍量よりも多い逆相系充填剤（Ａ）を含んでいることを特徴とする。
【００１４】
本明細書中で用いられる用語「クロマトグラムの改良」とは、塩基性又は酸性試料に、従来の逆相系カラム又はイオン交換カラムをそれぞれ単独で用いた場合のそれぞれのクロマトグラムに対する、例えば、分析した各ピークの良好な分離性、ピークのシャープさ、各ピークの保持時間の短縮（これは結果的に、分析時間の短縮につながる）などを意味する。
【００１５】
本発明のカラム充填剤（Ａ）は、逆相系充填剤であり、例えば、シリカゲルを基材としてシリコーンポリマーで被覆しながら、オクタデシル基を結合した、一般的にＯＤＳ（オクタデシルシリカ）ゲルと呼ばれる、既知の充填剤を用いることができる。このような逆相系充填剤では、ＯＤＳゲルが最も一般的であるが、Ｃ１８基はアルキル鎖が長いため、測定対象試料の種類によっては、カラム中で保持が大きくなりすぎ、かえって測定時間が長くかかり過ぎることもある。このような場合、分離効率が良好でも、測定時間を調整するために、アルキル鎖の短い官能基を付与したゲルを用いてもよく、例えば、オクチル基、ブチル基、トリメチル基、メチル基などが用いられ得る。さらに、フェニル基、エチルフェニル基、シアノプロピル基などが結合されたシリカゲルもあるが、本発明ではオクタデシル基を有する充填剤、つまり、ＯＤＳゲルが好ましい。また、基材としては、シリカゲルが好ましいが、他の基材、例えば、ジルコニア、チタニア、アルミナなどの無機系の基材；アクリル系、スチレン系、スチレン−ジビニルベンゼン共重合体、ポリメタクルレートなどの高分子の合成系基材；セルロース系、キトサン系、ポリアミノ酸、アガロース、デキストランなどの天然系基材を使用することもできる。なお、本発明のカラム充填剤（Ａ）の作製方法としては、例えば、特開昭６２−１１０７４６号公報が開示されており、当業者にとって既知の技術であるので、特に詳細な説明はしない。
【００１６】
一方、本発明のカラム充填剤（Ｂ）は、一般に、イオン交換カラムで用いるイオン交換充填剤であり、シリカゲルを基材としてシリコーンポリマーで被覆しつつ、カチオン又はアニオン交換機能を与えた、既知のカチオン系充填剤又はアニオン系充填剤を用いることができる。例えば、カチオン系充填剤としては、−ＣＯＯＨ、−ＳＯ３Ｈなどを有する充填剤が挙げられ、アニオン系充填剤としては、−ＮＨ２、−ＣＨ３ＮＨ２、−Ｎ（ＣＨ３）２、−Ｎ（Ｃ２Ｈ５）２、−（ＣＨ３）３ＮＨ２、
【００１７】
【化１】
2007205871.tif 000003
（式中、ｍおよびｎは、同一または異なって、０乃至４の整数から選択される。）などを有する充填剤が挙げられる。なかでも、塩基性試料を効率よく分離する場合には、強カチオン交換作用によって塩基性試料を保持させるために、例えば、ＳＯ３Ｈ基を有する充填剤が好ましく使用される。また、酸性物質を測定する場合、弱アニオン交換作用によって酸性試料を保持させるために、例えば、ＮＨ２基を有する充填剤が好ましく使用される。また、基材としては、シリカゲルが好ましいが、他の基材、例えば、ジルコニア、チタニア、アルミナなどの無機系の基材；アクリル系、スチレン系、スチレン−ジビニルベンゼン共重合体、ポリメタクルレートなどの高分子の合成系基材；セルロース系、キトサン系、ポリアミノ酸、アガロース、デキストランなどの天然系基材を使用することもできる。なお、本発明のカラム充填剤（Ｂ）の作成方法も、例えば、特開平８−２６２００４号公報に開示されており、カラム充填剤（Ａ）の作成方法と同様に、すでに既知の技術であるので、特に詳細な説明はしない。
【００１８】
また、本発明での１本のカラムにカラム充填剤（Ａ）とカラム充填剤（Ｂ）とを混合・充填する場合、逆相系充填剤（Ａ）は、イオン交換充填剤（Ｂ）の量に対して１倍量よりも多く（例えば、１倍量より多く乃至１００倍量まで、好ましくは１倍量より多く乃至５０倍量まで、より好ましくは１倍量より多く乃至２０倍量まで、さらに好ましくは１倍量より多く乃至１０倍量まで）混合される。逆相系充填剤（Ａ）の量は、測定対象試料及び/又は分析目的等によって調整され得、イオン交換充填剤（Ｂ）の量よりも多い限り、上記範囲外であっても、試料や分析目的に適した混合比率としてよい。例えば、本発明のカラムをＬＣ／ＭＳ（／ＭＳ）に使用する場合、試料中の各成分は液体クロマトグラフィー後の質量（ｍ／ｚ）により分離分析できるため、試料を夾雑物から迅速に分離することができれば、必ずしも試料中の各成分同士を十分に分離する必要はない。このような分析目的を考慮すれば、例えば、定量分析には、イオン交換充填剤（Ｂ）の量に対して２０乃至５０倍量の逆相系充填剤（Ａ）が好ましく、また定性分析には、イオン交換充填剤（Ｂ）の量に対して４乃至１０倍量の逆相系充填剤（Ａ）が好ましい。さらに、分析目的及び／又は被検化合物の塩基性度又は酸性度に応じては、イオン交換充填剤（Ｂ）の量に対して１００倍量又はそれ以上の逆相系充填剤（Ａ）を使用してもよい。なお、本明細書中、特に断りのない限り、充填剤に関して用いられる用語「倍量」とは重量を基準とする。
【００１９】
本発明で用いられるカラムは、従来から液体クロマトグラフィー用カラムとして用いられているものであれば、特に制限されないが、通常はステンレス管が用いられ、そのサイズは、分析目的に依存して変化し得るが、例えば、内径１．０乃至２００ｍｍ、長さ１０乃至１０００ｍｍのステンレス管が用いられる。本発明のカラムでは、微量分析に用いる場合、内径１．０乃至４．６ｍｍ、長さ１０乃至２５０ｍｍ程度が好ましく、また分取に用いる場合、内径１０乃至１００ｍｍ、長さ３０乃至１０００ｍｍ程度のステンレス管が好ましい。
【００２０】
また、カラム充填剤（Ａ）とカラム充填剤（Ｂ）とを１本のカラムに混合して本発明のカラムを製造する場合、特別な混合手段は必要なく、単に２種類のカラム充填剤（Ａ）と（Ｂ）をカラム内に詰めるだけであり、従来の混合手段を用いることができる。例えば、充填方法としては、湿式充填法がある。具体的には、分析に使用する溶離液等に、カラムサイズに見合った量の充填剤を分散させて、その分散液をパッカーに移し、パッカーの入口側にポンプを接続し、さらに出口側にカラムを接続して、定圧充填してカラムを製造する方法が挙げられる。
【００２１】
本発明のカラムの測定対象試料は、本発明のカラムの測定対象試料は、通常、カチオン又はアニオン系のイオン交換充填カラムを用いた高速液体クロマトグラフィー（ＨＰＬＣ）により分離できる、総ての塩基性、酸性又は両性の試料が測定対象となり得る。このような試料としては、例えば、カチオン系イオン交換充填剤を用いたＨＰＬＣにより分離できる試料として、塩基性有機化合物、核酸塩基、生体アミン（カテコールアミン、インドールアミン類）等；アニオン系イオン交換充填剤を用いたＨＰＬＣにより分離できる試料として、酸性有機化合物、芳香族カルボン酸、高級・低級脂肪酸、ヌクレオチド、アセチルＣｏＡ等；カチオン系又はアニオン系イオン交換充填剤を用いたＨＰＬＣにより分離できる両性試料（両性化合物）として、アミノ酸、ペプチド類等が挙げられる。なお、両性化合物であるアミノ酸、ペプチド類等は、その等電点を基準として、等電点より高いｐＨで分析する場合は酸性試料となり、等電点より低いｐＨで分析する場合は塩基性試料となる。したがって、本発明のカラムは、従来から塩基性、酸性、又は両性の物質に対して行なわれてきた広範囲にわたる領域の高速液体クロマトグラフィー分析に応用できる。
【００２２】
本発明のカラムの使用方法は、既知の高速液体クロマトグラフィーで使用するカラムの使用方法と同様である。以下にその使用方法を説明する。一般に、高速液体クロマトグラフィー用カラム６は、図１のような構成のシステムに配置されて、カラム６に対して溶離液１（移動相とも呼ぶ）を送液ポンプ３により供給しながら、インジェクタ４（サンプラーとも呼ぶ）から測定対象試料を注入する。分離された試料は、検出器７によって検出され、その結果が記録計８に記録される。なお、測定対象試料に必要に応じて既知の前処理が施されてもよい。なお、図１は、本発明のカラムを使用してアイソクラティック分析する際の高速液体クロマトグラフィー装置のシステム構成を示す一例である。
【００２３】
また、上記溶離液としては、各分析における既知の溶離液が用いられる。一般的に、例えば、水系では、過塩素酸、リン酸などの無機酸又はその不揮発性の金属塩（過塩素酸ナトリウム、リン酸水素カリウム等）、ならびに、これらの塩とは異なる揮発性緩衝液（例えば、酢酸アンモニウム、ギ酸アンモニウム、トリフルオロ酢酸アンモニウム等）などが挙げられる。本発明では、揮発性緩衝液が好ましく用いられる。緩衝液を用いる場合、そのｐＨは、用いるカラム、緩衝液の種類、測定試料などに応じて、当業者により適宜決定され得る。一方、有機溶媒系では、一般的に、例えば、アセトニトリル、メタノール及びその混合溶媒などが用いられる。さらに、溶離液として、水（緩衝液）と有機溶媒の混合系が主に用いられる。
【００２４】
本発明のカラムは、アイソクラティック分析にもグラジェント分析にも用いることが出来る。しかしながら、従来法よりも分析時間を短縮化するという観点から、本発明のカラムは、アイソクラティック分析に用いることが最も好ましい。なぜならば、アイソクラティック分析は、分析の初期から終了まで、溶離液に用いる水系（緩衝液）と有機溶媒の溶離液中の組成比が常に一定であり、一般的に用いられているグラジェント分析の問題とされている分析時間の短縮にロスが生じる（グラジェント分析は、１回の分析ごとに溶離液の組成を初期値に戻す必要がある）ことが全く皆無であるからである。このアイソクラティック分析に用いられる溶離液としては、好ましくは、有機溶媒の含有量が水系（緩衝液）の量よりも多い混合系溶媒が用いられ、なかでも好ましくは、有機溶媒を５０％乃至９０％、より好ましくは６０％乃至８０％含有する混合系溶媒（例えば、アセトニトリル：上記緩衝液＝７０：３０）が用いられる。なお、有機溶媒にはメタノール又はその混合系（例えば、アセトニトリル：メタノール＝１：１,容量％）を用いてもよい。
【００２５】
なお、溶離液の通液する速度（流速）は、カラムのサイズ及び／又は分析目的に依存して変化し得るが、一般的に０．０１乃至１００ｍＬ／分程度が選択される。本発明では、微量分析用に上記で例示したカラムを用いる場合、０．０５乃至２．０ｍＬ／分程度の流速が好ましく、また分取用に上記で例示したカラムを用いる場合、５．０乃至５０ｍＬ／分程度の流速が好ましい。
【００２６】
なお、必須ではないが、脱気装置２やカラム恒温槽５がシステムに組み込まれてもよい。脱気装置は、高速液体クロマトグラフィーで使用される溶離液の中に混入し得る目には見えないわずかな酸素やその他の気体を除去する装置である。このような気体が含まれていると、検出器で検出する段階でノイズとなり、ベースラインが安定しない原因となり、好ましい結果となり得ない。ヘリウムガスやアスピレータを用いる方法があるが、これらの方法は非常に煩雑であり、さらに溶離液を使用する度に脱気を行なう必要がある。したがって、脱気装置を用いれば、溶離液がポンプに送られる途中で脱気装置を通過する際に溶離液中の気体が除去されるので非常に有用である。また、高速液体クロマトグラフィー分析は温度によって分離性及び保持時間が変わるために、測定対象試料の分析条件によっては、カラムをカラム恒温槽内に設置して測定する場合もある。
【００２７】
上述した高速液体クロマトグラフィー分析では、既知の方法が用いられ、適当な濃度の溶離液により試料が溶出分離される。なお、本発明のカラムでは、分析途中で溶離液濃度の組成を変化させないアイソクラティック分析を行なうことを特徴の１つとする。
【実施例】
【００２８】
以下に、本発明を実施例により説明するが、本発明はこれらによって制限されるものではない。
【００２９】
本発明の実施例では、下記に示す市販品である５種の医薬品を４タイプのカラムを用いた下記の条件下で、上述した方法によって高速液体クロマトグラフィー分析を行なった。
【００３０】
（１）測定対象試料
医薬品１：イミプラミン
【００３１】
【化２】
2007205871.tif 000004
医薬品２：プロプラノロール
【００３２】
【化３】
2007205871.tif 000005
医薬品３：クロルプロマジン
【００３３】
【化４】
2007205871.tif 000006
医薬品４：アテノロール
【００３４】
【化５】
2007205871.tif 000007
医薬品５：キニジン
【００３５】
【化６】
2007205871.tif 000008
（２）カラム
４．６×２５０ｍｍサイズのステンレス管のカラムを使用した。また、実施例において使用した各カラムの充填剤は以下の通りである。なお、カラムへの充填方法は、上述した湿式充填法で行なった。
【００３６】
カラム１：
逆相系充填剤（Ａ）（特開昭６２−１１０７４６号公報に記載の方法で得られたシリカゲルを基材としてオクタデシル基を有する逆相系充填剤）のみで充填したカラムを使用した。
【００３７】
カラム２：
上記逆相系充填剤（Ａ）とイオン交換充填剤（Ｂ）（特開平８−２６２００４号公報に記載の方法で得られたシリカゲルを基材としてＳＯ３Ｈ基を有するイオン交換充填剤）を４：１の混合比率で混合・充填して作製した。
【００３８】
カラム３：
上記逆相系充填剤（Ａ）と上記イオン交換充填剤（Ｂ）を５０：１の混合比率で混合・充填して作製した。
【００３９】
カラム４：
上記イオン交換充填剤（Ｂ）のみで充填したカラムを使用した。
【００４０】
（３）高速液体クロマトグラフィーの条件
溶離液：ＣＨ３ＣＮ（０．０１ｍｏｌ／Ｌ）／ＡｃＯＮＨ４（ｐＨ４）＝７０／３０，ｖ／ｖ
流速：１．０ｍＬ／分
検出：ＵＶ  ２５０ｎｍ
温度：３０℃
【００４１】
【表１】
2007205871.tif 000009
なお、高速液体クロマトグラフィー分析の結果を図２のグラフと図３のチャート（クロマトグラム）に示す。
【００４２】
以上の結果から、逆相系カラム充填剤（Ａ）のみを充填したカラム１では保持が弱く、イオン交換カラム充填剤（Ｂ）のみを充填したカラム４では保持が強すぎることが分かる。逆相系カラム充填剤（Ａ）とイオン交換カラム充填剤（Ｂ）を５０：１の混合比で作製したカラム３では、測定対象試料である各医薬品間での分離という点では、それほど効果的な結果は見られないが、測定対象試料（図３、（Ａ）：（Ｂ）＝５０：１のチャート、保持時間約３乃至５分）とその他の夾雑物（図３、（Ａ）：（Ｂ）＝５０：１のチャート、保持時間約２分）とを迅速に分離することが出来た。このことは、このカラム３が、液体クロマトグラフィーのみを用いた分離分析よりも、液体クロマトグラフィー法と他の分離分析法とを組み合わせた分析手段（例えば、ＬＣ／ＭＳ（／ＭＳ））に有用であることを示唆した。一方で、逆相系充填剤（Ａ）とイオン交換充填剤（Ｂ）を４：１の混合比で作製したカラム２では、測定対象試料である各医薬品を分離するのに適当な保持性と、イオン交換充填剤（Ｂ）のみを充填したカラム４の場合と比較して大幅な分析（検出）時間の短縮を示し、クロマトグラムが良好に改良された。驚くべきことに、アイソクラティック条件下で溶出したにもかかわらず、カラム２とカラム４の分析に要した時間を比較すると、カラム２は１／３に短縮され、あたかもグラジェント条件下で溶出したかのようなクロマトグラムが得られた（図３）。これは、イオン交換充填剤よりも多くの逆相充填剤を含む本発明の混合カラムのハイブリッド効果に加えて、有機溶媒含量比が水系（緩衝液）よりも多い溶離液（アセトニトリル含量が７０％）を用いたことによる相乗効果と考えられた。
【００４３】
本発明の液体クロマトグラフィー用カラムは、逆相系充填剤（Ａ）と、イオン交換充填剤（Ｂ）（カチオン系充填剤又はアニオン系充填剤）とを、イオン交換充填剤（Ｂ）の量よりも逆相系充填剤（Ａ）の量が多くなるように、１本のカラムに混合・充填することにより、イオン交換充填剤の作用による測定対象試料の保持性および分離能力を維持しつつ、逆相系充填剤の作用により測定対象試料の分析（検出）時間をイオン交換充填剤のみの場合より大幅に短縮できる。
【００４４】
以上本発明の好ましい実施例について詳述したが、本発明はかかる特定の実施形態に限定されるものではなく、特許請求の範囲に記載された本発明の趣旨の範囲内において、種々の変形・変更が可能である。
【図面の簡単な説明】
【００４５】
【図１】本発明のカラムを使用して分析する際の高速液体クロマトグラフィー装置のシステム構成の一例を示す図である。
【図２】本発明の実施例の高速液体クロマトグラフィー分析の結果を示すグラフである。
【図３】本発明の実施例の高速液体クロマトグラフィー分析の結果を示すチャート（クロマトグラム）であり、図中、イミプラミンを（Ｉ）と示し、プロプラノロールを（Ｐ）と示し、クロルプロマジンを（Ｃ）と示し、アテノロールを（Ａ）と示し、そしてキニジンを（Ｑ）と示す。
【符号の説明】
【００４６】
１  溶離溶液
２  脱気装置
３  ポンプ
４  インジェクタ
５  カラム恒温槽
６  カラム
７  検出器
８  記録計
９  電気信号
１０  廃液
【図１】
2007205871.tif 000010
【図２】
2007205871.tif 000011
【図３】
2007205871.tif 000012